(57)【要約】【課題】  付け毛用毛束ユニット及び付け毛用毛束固着方法において、自毛への毛束の装着を容易にする。【解決手段】  人毛又は人工毛を含む複数の毛束２と、この複数の毛束２それぞれにおいて長さ方向に所定の範囲で塗布される糊剤３と、複数の毛束２それぞれの糊剤３の塗布範囲にその一部４ａを剥離可能に接着される複数の紐部材４と、長手方向の複数箇所に挿通孔５ａが穿設され、複数の挿通孔５ａの内壁によって毛束２をそれぞれ接着し、挿通孔５ａが紐部材４と毛束２とからなる部分の一部を被うように配置されるチューブ部材５とを備える構成とする。【選択図】  図１Ｂ
2007039830.tif 000002
【特許請求の範囲】
【請求項１】
人毛又は人工毛を含む複数の毛束と、
前記複数の毛束それぞれにおいて長さ方向に所定の範囲で塗布される糊剤と、
前記複数の毛束それぞれの糊剤の塗布範囲にその一部を剥離可能に接着される複数の紐部材と、
長手方向の複数箇所に挿通孔が穿設され、前記複数の挿通孔の内壁によって前記毛束をそれぞれ接着し、前記挿通孔が前記紐部材と前記毛束とからなる部分の一部を被うように配置されるチューブ部材と
を備えることを特徴とする付け毛用毛束ユニット。
【請求項２】
前記チューブ部材は、熱収縮性チューブであることを特徴とする請求項１記載の付け毛用毛束ユニット。
【請求項３】
前記チューブ部材は、前記挿通孔の内壁の略全面に熱溶融性の接着剤が塗布されていることを特徴とする請求項１又は請求項２記載の付け毛用毛束ユニット。
【請求項４】
前記挿通孔を挿通する髪飾りをさらに備えることを特徴とする請求項１から請求項３のいずれか１項記載の付け毛用毛束ユニット。
【請求項５】
人毛又は人工毛を含む複数の毛束と、前記複数の毛束それぞれにおいて長さ方向に所定の範囲で塗布される糊剤と、前記複数の毛束それぞれの糊剤の塗布範囲にその一部を剥離可能に接着される複数の紐部材と、長手方向の複数箇所に挿通孔が穿設され、前記複数の挿通孔の内壁によって前記毛束をそれぞれ接着し、前記挿通孔が前記紐部材と前記毛束とからなる部分の一部を被うように配置されるチューブ部材とを備える付け毛用毛束ユニットを用い、
前記紐部材の接着部に続く部分で所定の大きさの輪を形成すると共に前記輪に続く部分を前記挿通孔に挿通した状態で前記輪の中に任意本数の自毛を挿通し、
前記挿通させた紐部材を前記チューブ部材に対して前記輪の反対側に引くことにより前記輪の中に挿通した前記自毛を前記チューブ部材に挿通し、
前記自毛と前記毛束とを揃えて内包する前記チューブ部材を押圧して前記自毛と前記毛束とを固着することを特徴とする付け毛用毛束ユニットの毛束固着方法。
【請求項６】
前記チューブ部材が熱収縮性チューブであり、前記熱収縮性チューブを前記自毛と前記毛束とを揃えて内包する状態で押圧すると共に加熱して前記自毛と前記毛束とを固着することを特徴とする請求項５記載の付け毛用毛束ユニットの毛束固着方法。
【請求項７】
前記チューブ部材は、前記挿通孔の内壁の略全面に熱溶融性の接着剤を塗布されており、前記チューブ部材を押圧すると共に加熱して、前記熱溶融性の接着剤を溶融させて、その凝固により前記自毛と前記毛束との固着を助成させることを特徴とする請求項５又は請求項６記載の付け毛用毛束ユニットの毛束固着方法。
【請求項８】
髪飾りを前記挿通孔に挿通させた状態で前記自毛と前記毛束とを固着することを特徴とする請求項５から請求項７のいずれか１項記載の付け毛用毛束ユニットの毛束固着方法。
【発明の詳細な説明】
【技術分野】
【０００１】
本発明は、自毛に毛束を固着するための付け毛用毛束ユニット及びその毛束固着方法に関する。
【背景技術】
【０００２】
従来、自毛が比較的薄くなりかけている人が、あたかも豊富な自毛があるように見せるために自毛に取り付ける増毛材として、人毛又は人工毛からなる毛束がある。このような毛束は、増毛材としてだけでなく、部分染めの代わりに自毛の色とは異なる色の毛束を自毛の任意の箇所に取り付けておしゃれに用いる場合もある。
【０００３】
この場合、自毛への毛束の取り付けを出来るだけ迅速に行うことができるように、その取り付け方法として自毛と毛束との種々の結び方の提案がなされている。（例えば、特許文献１及び２参照。）
上記特許文献１及び２の技術は、いずれも自毛と毛束との特殊な結び方、つまり特殊な結び目の形状を構成するものであるが、このように特殊な結び目の形状で自毛と毛束を固定するのではなく、熱収縮チューブによって自毛と毛束を固定する方法も提案されている。（例えば、特許文献３及び４参照。）
また、外周部に頭飾具が付設された管体を容易に自毛に締着するため、自毛を管体に挿通すると共に、介挿材又は自毛を管体に弾発的に挿入することにより、管体を自毛に締着するガイド材を備える髪飾りが提案されている。（例えば、特許文献５参照。）
【特許文献１】特許第３３３８４３３号公報（図１）
【特許文献２】特許第３０３８４０２号公報（段落［００１２］〜［００１４］、［００１８］〜［００２１］、図１、図６、図８）
【特許文献３】特開２００３−２４７１１４号公報（［要約］、図１〜図３）
【特許文献４】特許第３５４２１２６号公報（図３、図４）
【特許文献５】特開２００４−０６５９２１号公報（［要約］、図２）
【発明の開示】
【発明が解決しようとする課題】
【０００４】
ところで、上記特許文献１又は２に見られる自毛と毛束との特殊な結び目の形状で自毛と毛束を固定する方法は、極めて高度の手法を要するもので、誰でも出来るという簡単な方法ではない。また、そのような特殊な結び目を形成するために更に特別な道具を必要とするに至っては益々簡単な方法というわけにはいかない。
【０００５】
それに比較して上記特許文献３又は４に見られる熱収縮性のチューブを用いる方法は自毛と毛束とで特殊な結び方をする必要がないので、より簡単な方法に思われるが、特許文献３及び４は、いずれも単体の熱収縮性のチューブをそのまま用いているだけで、この熱収縮性のチューブに自毛と毛束の両方を挿通するために極めて特殊な手法を用いており、方法が面倒である点においては特許文献１又は２の技術と大差がない。
【０００６】
また、上記特許文献５に見られるガイド部材を用いる手法は、弾発的に挿入される介挿材又は自毛により管体を自毛に締着するため、その締着を頑強にするのに困難を伴い、上記特許文献１乃至４と同様に誰でも出来るという簡単な方法ではない。
【０００７】
本発明の課題は、上記従来の実情に鑑み、自毛への毛束の装着が容易な付け毛用毛束ユニット及びその毛束固着方法を提供することである。
【課題を解決するための手段】
【０００８】
上記課題を解決するために、本発明の付け毛用毛束ユニットは、人毛又は人工毛を含む複数の毛束と、上記複数の毛束それぞれにおいて長さ方向に所定の範囲で塗布される糊剤と、上記複数の毛束それぞれの糊剤の塗布範囲にその一部を剥離可能に接着される複数の紐部材と、長手方向の複数箇所に挿通孔が穿設され、上記複数の挿通孔の内壁によって上記毛束をそれぞれ接着し、上記挿通孔が上記紐部材と上記毛束とからなる部分の一部を被うように配置されるチューブ部材とを備える構成とする。
【０００９】
好ましくは、上記チューブ部材は、熱収縮性チューブである構成とする。
より好ましくは、上記チューブ部材は、上記挿通孔の内壁の略全面に熱溶融性の接着剤が塗布されている構成とする。
【００１０】
また、上記挿通孔を挿通する髪飾りをさらに備える構成としてもよい。
上記課題を解決するために、本発明の付け毛用毛束ユニットの毛束固着方法は、人毛又は人工毛を含む複数の毛束と、上記複数の毛束それぞれにおいて長さ方向に所定の範囲で塗布される糊剤と、上記複数の毛束それぞれの糊剤の塗布範囲にその一部を剥離可能に接着される複数の紐部材と、長手方向の複数箇所に挿通孔が穿設され、上記複数の挿通孔の内壁によって上記毛束をそれぞれ接着し、上記挿通孔が上記紐部材と上記毛束とからなる部分の一部を被うように配置されるチューブ部材とを備える付け毛用毛束ユニットを用い、上記紐部材の接着部に続く部分で所定の大きさの輪を形成すると共に上記輪に続く部分を上記挿通孔に挿通した状態で上記輪の中に任意本数の自毛を挿通し、上記挿通させた紐部材を上記チューブ部材に対して上記輪の反対側に引くことにより上記輪の中に挿通した上記自毛を上記チューブ部材に挿通し、上記自毛と上記毛束とを揃えて内包する上記チューブ部材を押圧して上記自毛と上記毛束とを固着するようにする。
【００１１】
好ましくは、上記チューブ部材が熱収縮性チューブであり、上記熱収縮性チューブを上記自毛と上記毛束とを揃えて内包する状態で押圧すると共に加熱して上記自毛と上記毛束とを固着するようにする。
【００１２】
より好ましくは、上記チューブ部材は、上記挿通孔の内壁の略全面に熱溶融性の接着剤を塗布されており、上記チューブ部材を押圧すると共に加熱して、上記熱溶融性の接着剤を溶融させて、その凝固により上記自毛と上記毛束との固着を助成させるようにする。
【００１３】
また、髪飾りを上記挿通孔に挿通させた状態で上記自毛と上記毛束とを固着するようにしてもよい。
【発明の効果】
【００１４】
本発明によれば、チューブ部材に複数の毛束を接着して配置すると共に、自毛を引き込む輪を形成するための複数の紐部材を、自毛を引き込んだ後には直ちに剥離できるようにそれぞれの毛束に取り付けるので、自毛と毛束を揃えてチューブ部材に挿通することが容易に出来、これにより、自毛への毛束の装着が容易な付け毛用毛束ユニット及びその毛束固着方法を提供することが可能となる。
【００１５】
また、単一のチューブ部材に複数の毛束を挿通し、この毛束をそれぞれ自毛に固着するため、複数の毛束を短時間に取り付けることが可能となる。
【発明を実施するための最良の形態】
【００１６】
以下、本発明の実施形態に係る付け毛用毛束ユニット及びその毛束固着方法について、図面を参照しながら説明する。
図１Ａは、本発明の実施形態に係る付け毛用毛束ユニットを模式的に示す斜視図である。
【００１７】
同図において、付け毛用毛束ユニット１は、例えば人毛又は人工毛からなる複数の毛束２，２，・・・，２、これら複数の毛束２，２，・・・，２それぞれに塗布される糊剤３，３，・・・，３（塗布された糊剤であるので図では定かには見えない）、複数の紐部材４，４，・・・，４、チューブ部材５を備えている。
【００１８】
図１Ｂは、図１Ａに示す付け毛用毛束ユニットのＡ部拡大図である。
同図において、糊剤３は、毛束２の例えば根元において長さ方向に所定の範囲で塗布されている。また、紐部材４は、この糊剤３の塗布範囲に一側を剥離可能に接着され、この接着部４ａに続く部分で所定の大きさの輪４ｂを形成し、この輪４ｂに続く部分４ｃを接着部４ａに添い付けて毛束２の先方向に引き出されて配置されている。ここで、紐部材４は、単に接着部４ａで接着されているのみで、毛束２の先方向に引き出されてなく、輪４ｂを形成していない状態としてあることも考えられる。
【００１９】
そして、チューブ部材５は、毛束２と紐部材４の接着部４ａと引き出し部４ｃとを合わせた全体の径よりも大きな内径を有する挿通孔５ａが長手方向の複数箇所に穿設されており、この挿通孔５ａの内壁の一部によって毛束２を接着し、紐部材４の接着部４ａと引き出し部４ｃとからなる部分の一部を被うように配置されている。
【００２０】
なお、毛束２は、人工毛として例えばナイロン等の先染め又は後染めの合成繊維フィラメントを用いることができる。また、糊剤３は、例えばポリビニールアルコールのような、水溶性エマルジョンが形成しやすく、固化しやすくかつ水に溶け易い素材を用いるのが好ましい。これは、後述するように、自毛と毛束２を固着させたのち、チューブ部材５の下方に残る糊剤３を、水で容易に洗い落とすことが出来るようにするためである。ここで、糊剤３は刷毛等で塗布してもよいが、毛束２を逆さにして、糊剤３を満たした槽中に毛束２の例えば根元を浸漬させて引き上げて塗布してもよい。
【００２１】
また、紐部材４は、自毛を２つ折りにしてチューブ部材５内に引き込み、さらにチューブ部材５の下方に引き出すに足るだけの強度を有するものであれば何でもよい。ここで、この紐部材４でチューブ部材５の上方に形成する輪４ｂの径ａは、おおよそ４０ｍｍ程度の大きさであれば十分に自毛を輪４ｂ内に導き入れることが出来る。もっとも、輪４ｂの径ａは、４０ｍｍに限るものではなく、これよりも大きくても又は小さくても良いことは言うまでもない。さらにまた、紐部材４の接着部４ａは、挿通孔５ａの最下端よりも或る程度下方に達することが望ましい。これは、接着部４ａの位置が挿通孔５ａの最下端と同位置だったり、或いはそれよりも上方であったりすると、自毛を下方へ引き出しにくくなるためである。
【００２２】
また、チューブ部材５に熱収縮性チューブを用い、挿通孔５ａの内壁の略全面に熱溶融性の接着剤を塗布されて構成されるようにしても良い。こうすると、後述するように、自毛と毛束２を固着させたとき、チューブ部材５の収縮、及び熱溶融性の接着剤の溶融と凝固により、より強力に自毛と毛束２を固着させることができる。また、挿通孔５ａのチューブ部材５における長手方向断面を楕円形状とすることで、この楕円の長手方向に毛束２と自毛とを並べて挿通させることができる。このように毛束２と自毛とを挿通させると、挿通孔５ａの穿設面積を小さくすることができ、後述する自毛２と毛束との固着を容易にすることができる。
【００２３】
図２Ａ乃至図２Ｃ、図３Ａ、図３Ｂ及び図４は、上記実施形態に係る付け毛用毛束ユニットの毛束固着方法を示す概略図である。
図２Ａにおいて、まず、取り付け技師（又は付け毛用毛束ユニット１を装着する本人、以下同様）は、付け毛用毛束ユニット１の紐部材４で形成されている輪４ｂの中に、自毛６の先端部を引き入れる。輪４ｂは、上述したようにその径が例えば４０ｍｍの大きさに形成されているので、輪４ｂの中への自毛６の引き入れは容易である。
【００２４】
この後、チューブ部材５よりも下方に引き出されている紐部材４の引き出し部４ｃを下方（同図の矢印ｈ）に引っ張る。このため、図２Ｂに示すように、自毛６が２つ折りになりチューブ部材５内に引き込まれる。そこで、引き出したい自毛６が相当に長い場合には、紐部材４を引っ張るだけでは自毛６を完全に引き出せないこともある。そのようなときには、途中まで引き出した自毛６を指でつまんで引き出す、又は細い棒等を使って引き出す必要がある。
【００２５】
そして、図２Ｃに示すように、完全にチューブ部材５から下方に引き出された紐部材４が伸びきって、自毛６の先端がチューブ部材５の下方に引き出されると共に、紐部材４の接着部４ａが糊剤３との接着部分から剥離して、引き抜かれる。これにより、チューブ部材５内で、毛束２の例えば根元部分と自毛６の適宜の取り付け部分とが揃って配置される。
【００２６】
この作業では、チューブ部材５が熱収縮性チューブの場合、あらかじめ例えば図３Ａに示す挟み鏝１０が用意される。挟み鏝１０は、電源コード１１が根元に付いたハンドル部１２と、このハンドル部１２の先端に配置された鏝部１３とを備えている。また、ハンドル部１２には電源スイッチ１４が設けられ、鏝部１３には押すことで鏝部１３が開く開閉操作部１３ａが設けられている。
【００２７】
取り付け技師は、あらかじめ挟み鏝１０の電源コード１１の先端にある図外のプラグを適宜のコンセントに差込み、電源スイッチ１４を入れて鏝部１３を加熱してある。
そして、図３Ｂに示すように、内部に毛束２の例えば根元部分と自毛６の適宜の毛束取り付け部分とが揃って配置されたチューブ部材５を支えた後、挟み鏝１０を取り上げ、ハンドル部１２の先端にある開閉操作部（ここでは図示していない）を開閉操作して、加熱されている鏝部１３でチューブ部材５を両側から挟み込む。これにより、チューブ部材５が熱収縮性チューブの場合、熱収縮して毛束２の根元部分が自毛６の毛束取り付け部分に強固に固着される。
【００２８】
また、チューブ部材５として、その挿通孔５ａ壁面にあらかじめ熱溶融性接着剤を塗布してあるものを用いるのが好ましい。そうすると、熱や圧力によるチューブ部材５の収縮と共に、熱溶融性接着剤が溶融し、その溶融した接着剤が毛束２の例えば根元部分及び自毛６の毛束取り付け部分に浸透して凝固するので、毛束２と自毛６とがより強固に固着されるようになる。
【００２９】
なお、上述の挟み鏝１０はあくまで一例であり、これを用いなくとも熱収縮性チューブ５を押圧及び加熱して毛束２と自毛６とを固着させるのは可能である。また、チューブ部材５が熱収縮性チューブでない場合には、チューブ部材５を押圧できるのであればどのような器具を用いてもよく、場合によっては手で押圧して毛束２と自毛６とを固着することも考えられる。
【００３０】
以上のようにして、図４に示すように付け毛用毛束ユニット１が自毛６に固着される。ここで、同図では便宜上、チューブ部材５を覆う自毛６を模式的に上に引っ張った状態で示している。
【００３１】
なお、このように自毛６に毛束２を取り付け後において、チューブ部材５の下方に図１Ｂに示したように露出している糊剤３の塗布部分は、上記の熱処理の影響を受けて白く変質する場合もあるが、元来この糊剤３は、紐部材４の接着部分４ａとチューブ部材５を毛束２の例えば根元に仮接着させておくだけの用途であり、また、上述したように水溶性の糊剤エマルジョンを乾燥固化させたものを用いれば、毛髪の水洗により洗い流して容易に除去することができるので、全く支障はない。
【００３２】
また、上記実施形態では、毛束２を増毛用（つまり自毛と同色）の毛束として説明したが、これに限ることなく、おしゃれ用として自毛とは異なる色の毛束から成る付け毛用毛束ユニットにより、自毛を部分染めする代わりに用いてもよい。
【００３３】
さらに、チューブ部材５は、必要に応じて切り取り、挿通する毛束２の数を調整するのが好ましい。また、チューブ部材５を人の頭部に沿った形状とすることも考えられる。
本実施形態によれば、チューブ部材５に複数の毛束２を接着して配置すると共に、自毛６を引き込む輪４ａを有する複数の紐部材４を、自毛６を引き込んだ後には直ちに剥離できるようにそれぞれの毛束２に取り付けるので、自毛６と毛束２を揃えてチューブ部材５に挿通することが容易に出来る。
【００３４】
また、単一のチューブ部材５に複数の毛束２を挿通し、この毛束２をそれぞれ自毛６に固着するため、複数の毛束２を短時間に取り付けることが可能となる。
なお、毛束２やチューブ部材５を自毛６から取外す際には、例えば挿通孔５ａに鋏等を入れてチューブ部材５を切取ることにより、毛束２及びチューブ部材５を自毛６から取外すことができる。また、挿通孔５ａの内壁の略全面に熱溶融性の接着剤が塗布されている場合には、この部分を再度加熱し、毛束２及びチューブ部材５を取外すとよい。
【００３５】
図５は、上記実施形態の変形例に係る付け毛用毛束ユニットを示す概略図である。
同図において、付け毛用毛束ユニット２１は、例えば人毛又は人工毛からなる複数の毛束２，２，・・・，２、複数の毛束２，２，・・・，２それぞれに塗布されている糊剤３，３，・・・，３（塗布された糊剤であるので図では定かには見えない）、複数の紐部材４，４，・・・，４、チューブ部材５に加えて、例えば１つの髪飾り２２を備えている。ここで、髪飾り２２はチューブ部材５に複数挿通させてもよい。なお、図示する髪飾り２２に限らず人毛や人工毛を除くものであれば自ずと髪飾り２２となる。
【００３６】
図６は、上記変形例に係る付け毛用毛束ユニットの毛束固着方法により自毛と毛束とが固着されている状態を示す概略図である。
本変形例に係る付け毛用毛束ユニット２１は、上記実施形態と同様の付け毛用毛束固着方法により、自毛６に固着されている。
【００３７】
ここで、髪飾り２２は、例えば自毛６がチューブ部材５に挿通されるとき等、図３Ａに示す挟み鏝１０でチューブ部材５を収縮する前に、チューブ部材５に挿通されるのが望ましい。また、同図では、チューブ部材５を覆う自毛６を模式的に上に引っ張った状態で示しているが、髪飾り２２はこの自毛６よりも表面に露出させるとよい。
【図面の簡単な説明】
【００３８】
【図１Ａ】本発明の実施形態に係る付け毛用毛束ユニットを模式的に示す斜視図である。
【図１Ｂ】図１Ａに示す付け毛用毛束ユニットのＡ部拡大図である。
【図２Ａ】上記実施形態に係る付け毛用毛束ユニットの毛束固着方法を示す概略図（その１）である。
【図２Ｂ】上記実施形態に係る付け毛用毛束ユニットの毛束固着方法を示す概略図（その２）である。
【図２Ｃ】上記実施形態に係る付け毛用毛束ユニットの毛束固着方法を示す概略図（その３）である。
【図３Ａ】上記実施形態に係る付け毛用毛束ユニットの毛束固着方法を示す概略図（その４）である。
【図３Ｂ】上記実施形態に係る付け毛用毛束ユニットの毛束固着方法を示す概略図（その５）である。
【図４】上記実施形態に係る付け毛用毛束ユニットの毛束固着方法を示す概略図（その６）である。
【図５】上記実施形態の変形例に係る付け毛用毛束ユニットを示す概略図である。
【図６】上記変形例に係る付け毛用毛束ユニットの毛束固着方法により自毛と毛束とが固着されている状態を示す概略図である。
【符号の説明】
【００３９】
１      付け毛用毛束ユニット
２      毛束
３      糊剤
４      紐部材
４ａ      接着部分
４ｂ      輪
４ｃ      引き出し部
５      チューブ部材
６      自毛
１０      挟み鏝
１１      電源コード
１２      ハンドル部
１３      鏝部
１３ａ      開閉操作部
１４      電源スイッチ
２１      付け毛用毛束ユニット
２２      髪飾り
【図１Ａ】
2007039830.tif 000003
【図１Ｂ】
2007039830.tif 000004
【図２Ａ】
2007039830.tif 000005
【図２Ｂ】
2007039830.tif 000006
【図２Ｃ】
2007039830.tif 000007
【図３Ａ】
2007039830.tif 000008
【図３Ｂ】
2007039830.tif 000009
【図４】
2007039830.tif 000010
【図５】
2007039830.tif 000011
【図６】
2007039830.tif 000012